Podtech/llm-jp-corpus-v4-ja_patent huggingface dataset:
(57)【要約】【課題】貴金属製薄板と貴金属製線を用いて軽量かつ強度を高めた装身具を提供する。【解決手段】貴金属製薄板と貴金属製伸線からなり、任意の形状に形成した貴金属製伸線を、切り出した貴金属製薄板にロー付け後に、はみ出した貴金属製薄板をやすり等で削り成形する。【選択図】図１
2020182752.tif 000002
【特許請求の範囲】
【請求項１】
貴金属製薄板に貴金属製の伸線をロー付けし、装飾体の強度を高めかつ軽量化を図った事を特徴とする装身具。
【請求項２】
切り出した部分の端部分が薄く鋭利になるため端部分で怪我をする危険性があり、前述の怪我を防止した装身具。
【発明の詳細な説明】
【技術分野】
【０００１】  本発明は貴金属製薄板と貴金属製線を用いて軽量かつ強度を高めた装身具に係るものである。
【背景技術】
【０００２】  従来、薄板を利用した装身具では、薄板の外周を溝付き棒体いわゆるパイプで囲みロー付けしていた。
【先行技術文献】
【特許文献】
【０００３】
【特許文献１】特許第２７９２８２７号公報
【発明の概要】
【発明が解決しようとする課題】
【０００４】  上記の装身具によれば、薄板を利用した装身具では、棒体いわゆるパイプを複雑な曲げる加工において破断や潰れが発生するため、形状に制約があった。【０００５】  棒体いわゆるパイプを薄板に嵌めるため多くの時間がかかり、かつ熟練した職人でなければ加工する事が困難であった。【０００６】  溝を有しない無垢状の伸線に比べ、棒体に溝を入れる加工にはコストと時間がかかり製品単価が上昇してしまう。
【課題を解決するための手段】
【０００７】  本発明は棒体いわゆるパイプの代替として無垢の伸線材を使用する。まず最初に、任意の形状に貴金属製伸線を成形してロー付けする。次に、切り出した貴金属製薄板に前述の成形した伸線をロー付けし、はみ出した貴金属製薄板をやすり等で削り成形する。
【発明の効果】
【０００８】  本発明は更に装飾性を持たせるため立体的に凹凸を付けるために上記で出来た製品に曲げ加工を施すが、無垢の伸線を使用しているゆえ、従来のパイプでは潰れてしまい形にする事が困難な形状、例えば螺旋状に捻ったような形状も加工可能となる。【０００９】  本発明により、従来の加工では極細い溝に薄板を嵌め込む加工時間が多くかつ熟練職人しか加工が出来なかった技術の欠点を改良し、作業性を格段に向上させながら軽量かつ強度を付与された装身具が製造可能となる。
【図面の簡単な説明】
【００１０】
【図１】  本発明に係る装身具の正面図である。
【図２】  図１におけるＡ−Ａ断面図である。
【図３】  図１におけるＢ−Ｂ断面図である。
【図１】
2020182752.tif 000003
【図２】
2020182752.tif 000004
【図３】
2020182752.tif 000005
(57)【要約】      （修正有）【課題】本発明は室内等の強い風が吹かず比較的に平穏な状態でのシャツの乾燥をする際に利用し、乾燥後そのシャツをそのままの状態で保管する際に襟の形状を整えたままでの乾燥、および保管が可能な為、襟の折り目が整ったまま仕上がり、襟のアイロンがけ不要でボタンをかけなくても保管が可能なハンガーを提供する。【解決手段】洗濯後の襟付きシャツ６を乾燥させる事を目的にハンガーに掛ける際、襟の折り目を整えた状態で、襟あて部と押さえ板１の間に左右の襟を挟む事により襟が整形された状態でシャツが乾燥する為、乾燥が完了した際には襟の形状が整った状態で襟が仕上がり、両襟とハンガーが簡易的に固定されている為、保管の際にもシャツがハンガーから落下せず、そのままの状態で移動や保管する事が容易である。また押さえ板と襟あて部を横に長く配置する事により、様々なサイズの襟にも対応が可能となる。【選択図】図１１
2020182753.tif 000002
【特許請求の範囲】
【請求項１】
襟付きシャツをセットした際にシャツの襟がシャツの背面と離れるようにハンガー部（３）から前面に襟の裏側と接する部分がはね出す様に配置され、襟を挟んだ際に跡が残らない様に、かつ襟を挟む際に襟の先端を隙間に誘導しやすい隙間が出来るように湾曲な角を持ち  なおかつ襟の乾燥に有効な空隙部（５）が空き、様々な襟のサイズに対応出来るよう左右の襟が配置される位置に横長に配置された襟あて部（２）と  襟を挟んだ際に跡が残らない様に外周に丸い面が加工され、弾力のある素材で襟を挟み込む事が可能な押さえ板（１）がつなぎ部（４）にて重なる様に配置され、なおかつ襟を挟める隙間部（６）が設けられたハンガー
【発明の詳細な説明】
【技術分野】
【０００１】  本発明はワイシャツに代表される前開き襟付きシャツを洗濯後に乾燥させる際に  襟に折り目が付いた状態を保ったまま乾燥が出来、乾燥後保管する際にも面倒なボタン掛けをしなくても落下しにくいので  そのままでの保管が可能なハンガーに関するものである。
【背景技術】
【０００２】  従来  襟付きシャツを洗濯し乾燥させ保管する際は、襟の部分にはアイロンをかけて折り目を付け直した。またシャツをハンガーにかけて保管する際は上から１〜２カ所ボタンをかけてハンガーから落下しないように保管していた。
【発明の概要】
【発明が解決しようとする課題】
【０００３】  襟の部分の形状を整えるアイロンがけの作業は面倒であり  電源も技術も道具も必要であった。近年では形状記憶機能を備えたシャツも開発されているが  やはり洗濯時、乾燥時、保管時に襟の折り目がルーズになりがちであった。またシャツを保管する際にはその都度、面倒なボタン掛けをしてハンガーからの落下を防いだ。乾燥時および保管時に襟を挟む機能が付いたハンガーは見当たらずクリップ付のハンガーも存在するがズボンやタオルを挟むものが主流である。
【課題を解決するための手段】
【０００４】  襟付きシャツをハンガーにセットし乾燥させる際に乾燥しやすいようにシャツの前面と背面が離れるようにハンガー部（３）下部より  はね出した形態を持ち、襟を挟んだ際に挟んだ跡が付きにくいように、かつ襟の先端を挟みやすくする空間を設ける為に曲線を付けて曲げられ、襟の乾燥を妨がないように空隙部（５）を空けた襟あて部（２）を  つなぎ部（４）にて襟あて部（２）と重なる様に固定され、乾燥、保管の際に挟んだ跡が襟に付きにくいように外周に丸面を施され、様々な襟の厚みに対応出来る様に弾力のある素材を使用した押さえ板（１）で干したシャツの襟を挟む。以上の構成よりなるハンガー。
【発明の効果】
【０００５】  前開きの襟付きシャツを洗濯後に乾燥させる際、ハンガーに吊るした状態で左右それぞれの両襟を襟あて部と押さえ板にて挟んで乾燥させる事で乾燥が終わった際に襟の折り目は付いた状態で仕上がり  なおかつそのままの状態での保管が可能なため  面倒なボタン掛けは必要ない。
【発明を実施するための形態】
【０００６】  以下  本発明の実施の形態を説明する。
ハンガー本体（３）の下部前方に襟あて部（２）を設け、つなぎ部（４）にて押さえ板（１）を重ねるように固定し、襟あて部（２）と押さえ板（１）との間に左右それぞれから前開きの襟付きシャツをセットする。
【図面の簡単な説明】
【０００７】
【図１】本発明の正面図
【図２】本発明の斜視図
【図３】本発明の押さえ板（１）と襟あて部（２）の関係図
【図４】本発明の押さえ板（１）と襟あて部（２）の透視図
【図５】本発明の側面図
【図６】本発明の上面図
【図７】本発明の下面図
【図８】本発明のＡ−Ａ断面図
【図９】本発明に襟付きシャツの襟をセットした状態の上面図
【図１０】本発明に襟付きシャツの襟をセットした状態の詳細図
【図１１】本発明に前開きの襟付きシャツをセットした状態の斜視図
【図１２】本発明の押さえ板の詳細図
【符号の説明】
【０００８】    １  押さえ板
２  襟あて部
３  ハンガー本体
４  つなぎ部
５  空隙部
６  隙間部
７  前開き襟付きシャツの襟
８  前開き襟付きシャツ
【図１】
2020182753.tif 000003
【図２】
2020182753.tif 000004
【図３】
2020182753.tif 000005
【図４】
2020182753.tif 000006
【図５】
2020182753.tif 000007
【図６】
2020182753.tif 000008
【図７】
2020182753.tif 000009
【図８】
2020182753.tif 000010
【図９】
2020182753.tif 000011
【図１０】
2020182753.tif 000012
【図１１】
2020182753.tif 000013
【図１２】
2020182753.tif 000014
(57)【要約】【課題】呼吸性変動する標的に対して、変動に呼応する放射線治療を連続的に実施する。【解決手段】呼吸周期を複数のセグメントに分割し、それぞれのセグメントにおける標的および正常組織を動きのない静的な臓器とみなし治療計画を作成。ＭＲＩ監視下で適合するセグメントの治療計画を瞬時に切り替え、放射線治療を実施する。動きのある臓器に対しても連続的に放射線治療が可能となる。【選択図】図１
2020182751.tif 000002
【特許請求の範囲】
【請求項１】
呼吸性変動周期における個々のセグメントにおいて個別の治療計画を実施する。
【発明の詳細な説明】
【技術分野】
【０００１】  この発明は、放射線治療において呼吸性に変動する標的に対して、ＭＲＩ監視下で照射方法を瞬時に切り替る、切り替え照射に関するものである。
【背景技術】
【０００２】  従来、ＭＲＩ画像監視下での放射線治療は、照射標的が事前に設定された範囲内に入っている時にのみ実施される。設定範囲から外れた場合には、放射線照射が中断される。このようなゲーティング手法を用いることにより、正常組織への被曝を低減し、標的に対する放射線の集光性が向上される。
【先行技術文献】
【０００３】
【特許文献１】特開２０１９−３０７１６（Ｐ２０１９−３０７１６Ａ）、特表２０１６−５１２４６２（Ｐ２０１６−５１２４６２Ａ）
【発明の概要】
【発明が解決しようとする課題】
【０００４】  これには次のような欠点があった。
（イ）腫瘍などの標的が過度に動く場合、あらかじめ設定した照射野内に標的が留まっている時間がわずかとなり、予定線量を投与するまで長時間を要す。
（ロ）オンライン上で、標的の形状を適宜変更することは現在でも可能であるが、変更した照射野および線量が適切に患者に投与されているのかを、ファントムを用い検証実験することは不可能である。複雑な照射野を有する治療計画の場合、ファントムを用いた検証実験を行い、適切に放射線治療が行われることを確認した上で治療を行うことが、安全管理上極めて重要である。しかし、現行の方法ではオンライン上で検証から照射までの一連の準備作業を連続的に実施することは困難である。
本発明は、以上のような欠点をなくするためになされたものである。
【課題を解決するための手段】
【０００５】  呼吸により変動する標的に対して放射線治療を行う場合、呼吸周期を複数のセグメントに分割する。それぞれのセグメントにおける動きのある標的を、動きのない静的な標的とみなして、それぞれのセグメントにおいて治療計画を立てる。標的には多くの線量を投与し、正常組織に対しては可能な限り放射線が照射されないように治療計画を立てる。呼吸性の移動および標的のダイナックな変動はＭＲＩシネ画像を用いて監視し、該当するセグメントの位置に標的が入ったときに、それぞれのセグメントにおいて予め作成された放射線治療を実施する。呼吸性移動に応じてセグメントが切り替わり、それぞれのセグメントに対応する異なった放射線治療が瞬時に開始される。本発明は、以上の構成からなるＭＲＩでの呼吸性変動監視下における切り替え照射である。
【発明の効果】
【０００６】  （イ）治療時間が短縮される。
（ロ）オフラインでの検証が可能となる。すなわち、治療計画で処方された放射線量が正確に投与されるかどうかを、ファントムを用いて実測するため、放射線治療の品質保証が得られる。
【図面の簡単な説明】
【０００７】
【図１】  本発明の概要図である。
【発明を実施するための形態】
【０００８】  以下、本発明を実施するための最良の形態について説明する。
（イ）治療計画用の画像を撮影する。
呼吸性に移動する標的の断層画像を撮影する。この時、標的や正常組織の呼吸による移動および変形を考慮し、呼吸周期を複数のセグメントに分割しそれぞれのセグメントにおける画像化を実施する。
（ロ）呼吸変動に応じた治療計画を立てる。
それぞれのセグメントにおける断層画像を、動きのない静的な標的および正常組織とみなして、治療計画を立てる。セグメントの数と同数の治療計画（Ｐｌａｎ１，２，３，，，，）を立てる。
（ハ）治療計画（Ｐｌａｎ１，２，３，，，，）の最適化と検証を実施する。
放射線治療が、ある特定の治療計画（Ｐｌａｎ１  ｏｒ  ２  ｏｒ  ３．．）に偏って実施されても安全上問題ないよう設定する必要がある。そのためには、予定線量を特定の治療計画によりすべて投与されても容認されるよう、線量分布の最適化を行う。最適化の後、ファントムを用いた検証実験を行い、照射が適切に実施されることを実測により確認する。
（ニ）放射線治療の実施。
ＭＲＩのシネ画像で標的を追尾しながらセグメントに応じた放射線治療を実施する。あらかじめそれぞれのセグメントにおける線量分布が得られているため、一回当たりの放射線量（Ｄｏｓｅ／Ｆｒａｃｔｉｏｎ）に達した時点で照射は終了となる。各セグメントでの線量（Σｄ１、Σｄ２、、）の合算値が予定線量に達するまで照射は継続される。ある特定のセグメントのみを利用して治療を行う場合（Ｇａｔｉｎｇ）と比較し、この切り替え照射（Ｓｗｉｔｃｈｉｎｇ）では、セグメントに応じて照射が連続的に行われるため、治療時間は短縮できる。本発明は、以上のような構成からなる、呼吸性変動監視下における切り替え照射である。
【図１】
2020182751.tif 000003
(57)【要約】【課題】汚物が付着した衣服から、手を汚さず衛生的に汚物を取り除く事。【解決手段】円筒状の内容器と外容器からなる汚物を落とす洗濯器具を使用する。その洗濯器具の内容器は側面及び底面は水や汚物が内部外部に自由に移動できる格子又はそれに類似する構造になっている。内容器の上面は排水時汚水と衣服を分離するストレーナー、給水や汚水の排水を行う時に取り外す給排水用蓋を有している。外容器に内容器を差し込み固定する事が可能で、内容器の給排水用蓋を外しそこから給水して水を貯める事が出来る。汚物で汚れた衣服を内容器に入れトイレの洗浄水で表面に付着している汚物を流し、そのまま内容器を外容器に取り付け水と洗剤などをその容器に入れる。その容器を振り撹拌し内部に浸透した汚物を衣服から分離させ、その汚水を排水しさらに給水して排水する事で衣服から汚物を取り除く。【選択図】図６
2020182754.tif 000002
【特許請求の範囲】
【請求項１】
本発明の洗濯容器は内容器と外容器からなり、内容器の側面及び底面は水や汚物が内部外部に自由に移動できる格子又はそれに類似する構造になっており、内容器に汚物で汚れた衣服を入れ水洗トイレの洗浄水にさらす事により表面に付着した汚物を流す事が可能な洗濯容器。さらに内容器を外容器に取り付け水と洗剤などを入れ、その容器を振り撹拌し衣服内部に浸透した汚物を衣服から分離させた汚水を排水するためのストレーナーを有した洗濯容器。
【発明の詳細な説明】
【技術分野】
【０００１】本発明は汚物で汚れた衣服の洗濯に関するものである。
【背景技術】
【０００２】容器に洗濯物と水と洗剤などを入れ、容器を手で振って使用する洗濯器具は考案されている。【０００３】しかし、衣服表面に付着している汚物を取り除く事や、容器に汚物で汚れた衣服と水と洗剤などを入れ、その容器を振り撹拌し内部に浸透した汚物を衣服から分離させた汚水の処理が考慮されていない。
【先行技術文献】
【特許文献】
【０００４】
【特許文献１】実開平３−４９０７４号公報
【発明の概要】
【発明が解決しようとする課題】
【０００５】従来は洗面台や台所の流しで衣服に付着した汚物を手洗いしており、洗面台や流しに汚物や汚水を流すことになり非衛生的である。そこで手を汚さずトイレに汚物や汚水を流すことで洗面台や流しを汚すことなく汚物で汚れた衣服の洗濯が行える洗濯容器を提案する。
【課題を解決するための手段】
【０００６】円筒状の内容器と外容器からなる汚物を落とす洗濯容器を使用する。【０００７】その洗濯容器の内容器は側面及び底面は水や汚物が内部外部に自由に移動できる格子又はそれに類似する構造になっている。【０００８】内容器の上面は排水時の汚水と衣服を分離するストレーナー、給水や汚水の排水を行う時に取り外す給排水用蓋を有している。外容器に内容器を差し込み固定する事が可能で、内容器の給排水用蓋を外しそこから給水して水を貯める事が出来る。
【発明の効果】
【０００９】本洗濯容器を使用することにより、衣服に付着した汚物を手で触れる事無く衛生的に衣服から汚物を落とす事が可能となる。【００１０】内容器に入れた汚物で汚れた衣服を水洗トイレの洗浄水にさらす事により表面に付着した汚物を流し、さらに内容器を外容器を取り付け水と洗剤などを入れ、その容器を振り撹拌し衣服内部に浸透した汚物を衣服から分離させた汚水をトイレに排水する。【００１１】漂白剤や洗剤を利用して漬け置き洗いを行う場合、適温の水を使用することで洗浄効果が上がる。本洗濯器具は外容器に内容器を取り付ける事により密閉状態にする事が可能で、さらに外容器を断熱性の高い素材で作る事により一定の水温を保つことが可能で効果的な洗浄効果が得られる。【００１２】構造上小型軽量に作ることが可能であるため、持ち運びが可能で外出先でも衣服に付着した汚物を直ぐに処理する事が出来る。【００１３】汚物の汚れだけでなく、直ぐに洗うことが要求される水着やトレーニングウェア、洗濯機だけでは落ちない泥汚れのひどい靴下などを洗うのにも有効である。
【図面の簡単な説明】
【００１４】
【図１】内容器給排水用蓋側面図  蓋は回転する事により固定され、給水、排水を行う場合に取り外す。蓋を取り外す時や内容器自体に流水を当てる場合に便利な取っ手を有する。
【図２】内容器ストレーナー部側面図  ストレーナー部は回転する事により固定され、排水を行う場合には取り付けた状態で行い衣服の出し入れは外した状態で行う。側面及び底面は水や汚物が内部外部に自由に移動できる格子又はそれに類似する構造になっている。
【図３】内容器本体側面図  側面及び底面は水や汚物が内部外部に自由に移動できる格子又はそれに類似する構造になっている。
【図４】内容器組立側面図
【図５】外容器側面図  容器を振る時や排水を行う時に便利な取っ手を有する。
【図６】容器組立側面図  内容器を外容器に差し込み内容器を回転させ固定する。
【図１】
2020182754.tif 000003
【図２】
2020182754.tif 000004
【図３】
2020182754.tif 000005
【図４】
2020182754.tif 000006
【図５】
2020182754.tif 000007
【図６】
2020182754.tif 000008
(57)【要約】      （修正有）【課題】ＭＲＩ透視下放射線治療において、肝腫瘍の追尾を容易にする手段を提供する。【解決手段】鉄製剤を投与すると、正常肝組織には鉄製剤が取り込まれ、信号強度が変化するが、腫瘍肝組織では鉄製剤を取り込まないため、信号強度は変化しない。これにより正常肝組織と腫瘍肝組織の境界が明瞭に描出され、組織コントラストが低いＭＲＩ透視画像でも肝腫瘍の追尾が容易になる。【選択図】図１
2020182750.tif 000002
【特許請求の範囲】
【請求項１】
ＭＲＩ透視下放射線治療における鉄製剤の使用
【発明の詳細な説明】
【技術分野】
【０００１】  この発明は、肝腫瘍に対してＭＲＩ透視下放射線治療を行うための病巣画像化における鉄製剤の使用に関するものである。
【背景技術】
【０００２】  従来、肝腫瘍に対してＭＲＩ透視下放射線治療を行う際、非造影の単純ＭＲＩ透視画像を用いて治療を行っていた。
【先行技術文献】
【０００３】
【特許文献１】特開２０１９−３０７１６（Ｐ２０１９−３０７１６Ａ）、特表２０１６−５１２４６２（Ｐ２０１６−５１２４６２Ａ）
【非特許文献１】
【発明の概要】
【発明が解決しようとする課題】
【０００４】  これには次のような欠点があった。
（イ）肝腫瘍巣と正常肝組織とのコントラストが不十分なため、病巣の追尾が容易ではなった。
本発明は、以上のような欠点をなくするためになされたものである。
【課題を解決するための手段】
【０００５】  ＭＲＩ透視下放射線治療前に鉄製剤を投与すると、肝組織に鉄製剤が取り込まれ、一時的に鉄製剤が肝組織に留まる。鉄製剤は、ＭＲＩにおけるＴ２＊効果やＴ１短縮効果を有するため、鉄製剤が留まっている組織の信号強度を変化させる。一方、肝腫瘍は鉄製剤を取り込まないため、信号強度は変化しない。正常肝組織の信号強度が変化することにより、肝腫瘍と正常肝との境界が明瞭に描出され、組織コントラストが低いＭＲＩ透視画像でも肝腫瘍の追尾が容易になる。
本発明は、以上の如く肝腫瘍に対してＭＲＩ透視下放射線治療を行うための鉄製剤の使用に関するものである。
【発明の効果】
【０００６】  （イ）ＭＲＩ透視画像で検出できない肝腫瘍であっても、鉄製剤を投与することにより腫瘍巣を明瞭に画像化できるようになった。
（ロ）ＭＲＩ透視画像で肝腫瘍を明瞭に描出できれば、これまで放射線治療が困難と考えられてきた病巣に対しても治療が可能となる。
【図面の簡単な説明】
【０００７】
【図１】  本発明の、鉄製剤を用いたＭＲＩ透視下放射線治療の手順である。
【発明を実施するための形態】
【０００８】  以下、本発明を実施するための最良の形態について説明する。
肝腫瘍に対してＭＲＩ透視下放射線治療を行う際、腫瘍が描出されないと腫瘍の追尾ができず、ＭＲＩ透視下放射線治療は困難である。その際、鉄製剤を投与することにより、ＭＲＩ透視下で腫瘍が明瞭に描出され、放射線治療が可能となる。
この方法を使用するときは、肝腫瘍がＭＲＩ透視画像で描出されないことを確認する。経静脈的に鉄製剤を投与し、正常肝組織に鉄製剤を取り込ませる。ＭＲＩ透視画像で肝腫瘍が明瞭に描出されることを確認の上、病巣を追尾する。呼吸性移動など体動時にも腫瘍が途切れることなく追尾されることを確認の上、腫瘍に絞り込んだ放射線治療を実施する。
本発明は、以上のような構成からなる、ＭＲＩ透視下放射線治療における鉄製剤の使用である。
【図１】
2020182750.tif 000003
(57)【要約】【課題】本発明は、雨天時に下半身が濡れないために腰部まで覆う傘を提供する。【解決手段】傘の親骨が頭上から腰部まで伸びており、親骨の先端まで傘布が被せられている傘を特徴とする。【選択図】図２
2020182762.tif 000002
【特許請求の範囲】
【請求項１】
傘の親骨が頭上から腰部まで伸びていて、親骨に傘布が被せてある傘。
【発明の詳細な説明】
【技術分野】
【０００１】  本発明は、雨天時に下半身が濡れないように腰部まで覆う傘に関するものである。
【背景技術】
【０００２】  従来の傘の構造では、顔や上半身は雨に濡れずに保護されているが、下半身は保護されていなかった。
【先行技術文献】
【特許文献】
【０００３】
【特許文献１】特開２００３−９９２１号公報
【特許文献２】特開２００３−３１０３１９号公報
【発明の概要】
【発明が解決しようとする課題】
【０００４】  これは、次のような欠点があった。
雨天時に傘をさしても、下半身が濡れる場合が多かった。
本発明は、以上のような問題点を解決するためになされたものである。
【課題を解決するための手段】
【０００５】  傘の親骨（１）が頭上から腰部まで伸びており、傘布（２）が被せられている。
本発明は、以上の構成によりなる腰部まで覆う傘である。
【発明の効果】
【０００６】  腰部まで傘布で覆われているため雨天時に下半身が濡れにくい。
【図面の簡単な説明】
【０００７】
【図１】  従来の傘の斜視図である。
【図２】  本発明の傘の斜視図である。
【発明を実施するための形態】
【０００８】  以下、本発明を実施するための形態について説明する。
傘の親骨（１）が頭上から腰部まで伸びており、傘布（２）が被せられている。
本発明は、以上のような構造である。
本発明を使用するときは、雨天時に屋外で歩く際に足元まで濡れないために使用する。
【符号の説明】
【０００９】  １  傘の親骨
２  傘布
【図１】
2020182762.tif 000003
【図２】
2020182762.tif 000004
(57)【要約】【課題】筒形を多角形にした、キッチンのスポンジたわしを提供する。【解決手段】一定のスポンジを筒形に設け、筒形に設けた一定のスポンジを筒形に設け、筒形に設けた一定のスポンジの縁まわりの内側にそって適宜にけずり成形する。そして、一定のスポンシの筒形の上下を交互の多角形に設け、その、縁まわりを固定しほつれ止めの保強して、角の端で凹部の汚れを落し、さらに、多角形に設けた筒形スポンジの四面は、同じであることを特徴とする筒形の多角形スポンジのキッチンたわし。【選択図】図１
2020182775.tif 000002
【特許請求の範囲】
【請求項１】
一定のスポンジを筒形に設け、一定のスポンジを筒形に設けた上下の縁まわりの内側にそって適宜にけづり成形する。その一定のスポンジの筒形の上下を交互の多角形に設け縁まわりを固定し、ほつれ止めの保強する。また、角の端の成形で凹部の汚れを落しやすくし、多角形に設けた四面の利点を特徴とする筒形の多角形スポンジのキツチンたわし。
【発明の詳細な説明】
【枝術分野】
【０００１】  本発明は、筒形を多角形にしたスポンジのキッチンたわしに関するものである。
【背景技術】
【０００２】  従来、さまざまなキッチンのたわしがあった。
【発明の開示】
【発明が解決しようとする課題】
【０００３】そのために、次のような問題点があった。
（イ）あまりにも多種多用なたわしがあるので、使いこなすのが大変むづかしかった。
（ロ）また、えらびそこねて、器類をキズつけがちであった。
本発明は、これらの問題点を解決するためになされたものである。
【課題を解決するための手段】
【０００４】一定のスポンジを筒形に設け、筒形に設けた、一定のスポンジの縁まわりの、上下の内側を適宜けづり成形する。一定のスポジの筒形の上下を交互の多角形に設け、その縁まわりを固定し、ほつれ止めの保強する。なお角の端の成形で凹部の汚れを落し、多角形に設けた筒形スポンジの四面は、同じであることを、特徴とする筒形の多角形キッチンのスポンジたわし。
【発明の効果】
【０００５】  手共を使って、日々洗う多種ある器を多角形に設けた四面及び、角の端にそって、凹部の汚れなど、手早く洗うことができるきわめて、使い勝手のよい、手の平に握りやすい、筒形の多角形キッチンのスポンヂたわしである。
【発明を実施するための最良の形熊】
【０００６】以下、本発明の実施の形熊について説明する。
（イ）一定のスポンジ（１）を筒形（３）に設け、筒形（２）に設けた上下の縁まわり（３）の内側にそって適宜にけづり部（４）設ける。
（ロ）一定のスポンジ（１）を筒形（２）に設けたその縁まわり（３）の内側にそって、けづり部（４）を設けた上下を交互の
（ハ）多角形（５）に設ける。多角形（５）に設けたら、筒形（２）を、交互に設けた上下を固定（６）し、さらに、ほつれ止めの保強する。
本発明は、以上のような構造で、これを使用するときは、筒形（２）に設けた、一定のスポンジ（１）の上下の内側の縁まわり（３）にそって適宜けづり部（４）を設けて、その筒形のスポンジ（１）の上下を交互の多角形（５）にすると、角（７）の端ができるので、深い凹みとか浅い凹くぼみなどに使いやすい。
さらに、多角形（５）の四面を強弱をつけて、洗えるので、どの面を使っても同じなので、へたりにくく使いやすいのである。あれこれと使はなくてもいがいとキッチンの前後のかたづけが時短ですむし、手共で握りやすく手の平に納まりやすい多角形（５）の形状の利点の一つに、角（７）の端にそって、凹みなどの汚れを落しやすくするために、固定（６）し、さらに保強しているのでくずれる心配はない。筒形の多角形スポンジのキッチンたはしである。
【図面の簡単な説明】
【０００７】
【図１】本発明の正面一部使用図
【図２】本発明の正面図
【図３】本発明の側面斜視図
【符号の説明】
【０００８】１  一定のスポンジ
２  筒形
３  縁まわり
４  削づり部
５  多角形
６  固定
７  角
【図１】
2020182775.tif 000003
【図２】
2020182775.tif 000004
【図３】
2020182775.tif 000005
(57)【要約】      （修正有）【課題】腰の負担を軽減する、足取り付け用の工具ベルトを提供する。【解決手段】足にサック４を取り付け、腰に取り付ける工具を減らす、または無くす事により腰の負担を軽減する。【選択図】図３
2020196112.tif 000002
【特許請求の範囲】
【請求項１】
作業用工具を足に取り付けることができるベルト。
【請求項２】
工具を吊るした際にベルトがずり下がらない用のフックを設けた作業工具吊りベルト。
【発明の詳細な説明】
【技術分野】
【０００１】吊り下げ工具用ベルト。
【解決方法】
【０００２】今までは腰に取り付ける安全帯に取り付けていた工具を足に取り付けることで腰の負担を軽減する。
【０００３】図１のベルトに吊り下げ工具用サックを通して足に巻きつけてマジックテープ１，２で取り付ける。
【０００４】図２下げ防止フックをベルトに通してマジックテープで取り付ける。フックをズボンのポケットかベルト通しか上部に引っ掛けてベルトの下げを防止する。
【背景技術】
【０００５】安全帯に取り付けていた。
【特許文献１】実開平０６−０７５５１９
【発明の概要】
【０００６】安全帯では腰に取り付けたベルトにサックを取り付けるので腰に負担がかかる。
【問題を解決するための手段】
【０００７】本発明は従来の構成が有した問題を解決するものである。
【０００８】足にサック用ベルトを取り付けベルトが下がらない足取り付けベルトである。
【発明の効果】
【０００９】本発明は腰に取り付けていた工具を足に取り付けることにより腰の負担を軽減する効果を発揮する
【００１０】安全帯に取り付けできなかった分を足に取り付けることにより、より多くの道具を取り付けることができる。
【図面の簡単な説明】
【００１１】
【図１】１ベルト  ２マジックテープ  ３マジックテープ  ４サック
【００１２】
【図２】５ベルト通し  ６マジックテープ  ７マジックテープ  ８フック  ９回転部
【００１３】
【図３】１足ベルト  ２，３マジックテープ  ４サック  ５フック  ６，７マジックテープ  ９回転部  １０ズボンのベルト
【発明を実施するための形態】
【００１４】本発明の形態を図１、図２、図３を用いて説明する。
【００１５】図１  足ベルトはベルト本体にマジックテープ１，２を取り付ける。ベルトに吊り下げ工具用サックを通して足に巻きマジックテープ１，２で固定する。
【００１６】図２  下げ防止フックのベルト通し部にベルト１に通してフック８をズボン上部、ベルト１０等に引っ掛けてマジックテープ３，４で長さ調節して取り付ける
【図１】
2020196112.tif 000003
【図２】
2020196112.tif 000004
【図３】
2020196112.tif 000005
(57)【要約】      （修正有）【課題】乗り物、等の衝撃を静かに止めて、快適な乗り物にする。【解決手段】衝撃で上下する部材（４）に、設けた曲面（３）を、移動する、ベアリング（１）を、水平方向に引っ張る、半円型のバネ（２）で構成。衝撃によって、ベアリングは、曲面の垂直の面から、曲面を移動して、平面に近付くと、バネを、引く力が、弱く成る作用を、引き戻すバネの力が強く成り、想定外の凄まじい衝撃を受けても、静かに止まる装置の、２ッのベアリングの効果は、シートが、常に水平を保つ効果と、反発力の、変位量が、変化して強く成り、凄まじい衝撃を静かに止める、作用と効果が特徴。【選択図】図１
2020196445.tif 000002
【特許請求の範囲】
【請求項１】
乗り物、等の、衝撃を静かに止める装置において、
衝撃で上下運動する部材に、ベアリングを、上下に、２ッはめ込み、
衝撃で、ベアリングが、垂直から水平方向に移動する曲面を設けて、
ベアリングの左右の部材を、水平方向に引っ張る、半円型のバネからなる装置。
【発明の詳細な説明】
【技術分野】
【０００１】  本発明は、自転車、チェアスキー、乗物、等の衝撃を静かに止めるための装置に関するものである。
【背景の技術】
【０００２】  従来の技術には、衝撃で上下運動するテコを、一直線に引っ張って衝撃を吸収する装置には、
引きバネの、フックが、破損したり、テコとシャフトの間に摩擦などの耐久力が無く、シートの後部だけが、クッション作用でした。
【先行技術文献】
【特許文献】
【０００３】
【特許文献】
【特許文献１】特許第４４８００３５号
【発明の概要】
【発明が解決しようとする課題】
【０００４】  引きバネの両端に設けたフックの強度不足の為に、半円型のバネにし、テコと、シャフトの間の摩察の解消と、シートを常に水平を保つために、ベアリングを、２ッ設ける、構成にする。
【発明の効果】  引きバネには、半円型のバネを、設けることで、強度不足を解消する、ベアリングを、２ッ設けて、シートを常に水平を保ち、摩察の解消をする、又は、相定外の凄まじい衝撃を静かに止める効果が特徴です。
【必要性】
自転車が、お尻の痛くならない、快適な乗り物に成りますと、生殖器に影響を与えない効果に加えて、コロナ対策や、経済的にも、自転車通勤が、必要と成ります。
従来の自転車は、ほぼ全ての人が、お尻の痛く成るのを我慢して乗っています。
【課題を解決するための手段】
【０００５】  自転車に取り付けるパイプ、（６）と、部材の、（４）とが、衝撃で上下運動する部材に、ベアリングを、２ッはめ込み、曲面、（３）を、自由に移動する、ベアリング、（１）の、左右に、部材、（８）を、取り付けた部材の上部の、菊模様部分の内面、（９）を、ネジ、（５）を設けた部材の両端に、取り付け、菊模様の部材の下部分の、屈折部分を、半円型のバネ、（２）で、水平方向に引っ張る構成。
【発明の効果】
ベアリングを、上下に２ッ設けて、シートが常に水平を保つ効果。
ベアリングを、水平方向に引っ張り、ベアリングは、曲面の垂直面に止まり、少こしの加重でも、下に移動し、衝撃を受けて、ベアリングは、曲面を、移動して、バネを、引っ張り、想定外の凄まじい衝撃を受けても、バネの力で、ベアリングは、曲面の途中で静かに止まる作用と効果が特徴。半円型のバネは、耐久性が有り、ベアリングは、摩擦が無く成る、特徴。
【作用】
シートが常に水平を保ち、ベアリングは、衝撃によって、曲面を移動し、バネを引っ張る変位量を変化させて大きく引っ張り、ベアリングは曲面を通って平面に近付くと、バネを引ぱる力が、弱く成る、作用によって、想定外の凄まじい衝撃を受けても、ベアリングは、曲面の途中で静かに止まる作用。
【図面の簡単な説明】
【０００６】
【図１】衝撃で上下する部材と、バネと、ベアリングと、曲面図、
【図２】自転車の、衝撃を受けた時の、側面図、
【図３】自転車の、衝撃を受けた時の装置の、断面図、
【図４】チエアスキーの側面図、
【符号の説明】１、ベアリング
２、半円型のバネ
３  ベアリングの通る曲面
４  ベアリングを、はめ込む部材
５  サドルを、取り付ける、ネジを設けた部材
６  自転車に、取り付ける、パイプ
７  ベアリングを、取り付けるシヤフト
８  ベアリングの、左右に取り付ける部材
９  サドルを、取り付ける、菊模様のスベリドメ
Ａ  断面図
【図１】
2020196445.tif 000003
【図２】
2020196445.tif 000004
【図３】
2020196445.tif 000005
【図４】
2020196445.tif 000006
(57)【要約】【課題】  従来の庇付き帽子の庇は、形状を保持するために、鋼芯を入れることが常識であった。方や柔軟な芯の庇は変形しやすく、本来の形状を保持することが困難であった。両方には、相反する欠点があった。【解決手段】  庇の芯となる不織布等の比較的柔軟な部材を、平面上に置き、中心を縦断する直線で二分割し、更に中央縦断直線の両側等距離縦断直線でそれぞれ二分割する。  この時、中央縦断直線の元から直角に引いた水平線と、両側縦断直線が交わる点の内（前）角が直角未満で、両側縦断直線が中央縦断直線と部材上で交わらない。  表と裏から同形同面積（周囲の加工代を含む。）の布か繊維等で挟み込み、周囲を縫製加工し、中央縦断直線上と両側縦断直線上に縫い目を施す。  三本の直線状の縫い目で折り曲げることにより、稜線を形成すると同時に角錐の一部を形成している。  反転（裏返し）しても同じ（対称）形状になる。【選択図】図２
2020196988.tif 000002
【特許請求の範囲】
【請求項１】
平面上に、庇の形状を展開した形の芯材の、不織布等の比較的柔軟な素材（部材）を置く。
その中央を縦断する中央縦断直線で二分割する。
更に、その両側の二片の部材を、中央縦断直線から両側等距離（任意）の、縦断直線でそれぞれ二分割する。
この時、中央縦断直線の元から直角に引いた水平線と、両側縦断直線が交わる点の内（前）角が直角未満且、中央縦断直線と両側縦断直線は部材上で交わらない。
表と裏から、一面を覆う、同形同面積の布等（周囲の加工代が必要）で挟み込み、周囲に縫製加工を施し、三（中央・両側）縦断直線上に縫い目を入れ、頭部部材に縫い合わせることで、従来の曲面ではなく、稜線且角錐（両側の縫い目を前方内側に向けることにより。）の一部を形成することができる原理を利用している。
中央縦断直線の元から直角に引いた水平線と、両側縦断直線が、交わる点の内（前）角が直角未満で、両側縦断直線が中央縦断直線と部材上で交わらない時、中央縦断直線と両側縦断直線で分割し稜線を形成することで、庇の形状は角錐の一部を切り取った形になるといえる。中央縦断直線・両側縦断直線の三直線は、加工後に稜線となる。
この形状は反転（裏返し）しても同じ（対称）になる。
【発明の詳細な説明】
【技術分野】
【０００１】  本発明は、庇付き帽子の、柔軟な素材を芯としながらも、形状保持が安易且、逆曲げした後も、同形（対称）を保持することが、可能な庇に関する。
【背景技術】
【０００２】  従来、庇付き帽子の庇は、その形状を保持する為に、鋼芯を入れていた。
また、柔軟な庇の場合は、その形状を保持する為の、技術は確立されていなかった。
【発明の開示】
【発明が解決しようとする課題】
【０００３】  従来の庇付き帽子の庇のうち、多くは鋼芯を入れたものであり、収納困難であり、縁が擦り切れるなどし、硬いが故に時として、危険が伴うことがあった。
庇が柔軟なものは、収納安易であり、安全であるが、形状を保持する事が困難であった。
両方には、相反する欠点があった。【０００４】  本発明は、従来の庇付き帽子の庇が、伴ってきた問題を解決しようとするものであり、部材の形状と構造を変えることで、柔軟な素材で出来た庇を、変形し難くし、機能美を持たせ、使用性を良くするものである。
【課題を解決する為の手段】
【０００５】    本発明は、庇の部材となる、折り曲げや衝撃に強い、柔軟な、不織布等の素材を、平面になる部分ごとに分割し、表と裏から、一面を覆う、同形同面積の布等（周囲の加工代が必要）に挟み込み、周囲に縫製加工を施し、稜線になる部分に縫い目を入れ、三縦断（中央・両側）直線で折り曲げた状態で、頭部部材の縁側（対頭部部材接合線）になる部分に、縫い合わせることで、従来の、曲面ではなく、稜線且角錐（両側の縫い目を前方内側に角度をつけることで、角錐の一部となる。）の一部を形成することができる原理を利用している。
【発明の効果】
【０００６】  縫い目（且稜線）で折れ曲がることで稜線且角錐の一部を形成し、反転（逆曲げ）しても同じ形状を形成することができる。
平面で、稜線を形成することで、外力に対して応力が生まれることにより、形状を保持しやすくなる。
反転（逆曲げ）しても、同形（元の対称形）になる。
【発明を実施する為の最良の形態】
【０００７】    庇の基（庇の形状を展開したもの）となる部材を、平面上に置き、中央を縦断する直線で、二分割し、更にその両側の二片の部材を、任意の等距離両側縦断直線でそれぞれ二分割する。
この時、中央縦断直線の元から直角に引いた水平線と、両側等距離縦断直線が、交わる点の内（前）角が直角未満で、両側縦断直線が中央縦断直線と部材上で交わらない。
【０００８】  表と裏から同形同面積（後に周囲の加工代が必要）の布等で挟み込み、周囲に縫製加工を施し、三（縦断）直線上に縫い目を入れる。
【０００９】  三（縦断）直線を折り曲げて稜線且、（角錐の一部）を形成し、この形状のまま、頭部部材接合線と縫い合わせる。
【産業上の利用可能性】
【００１０】  この原理と構造を、庇付き帽子の庇に利用することで、耐熱性・防寒性・吸汗性・収納性・安全性・耐久性・環境保護性・芸術性・機能性・新規性・実用性・応用性・画期性・新種展開性等があり、  防災・レジャー・旅行・後楽・遊戯・大工・農作業・軽作業・学習・ファッション・土木作業・鉄鋼作業・建築作業等多岐にわたる使い方が可能である。
【図面の簡単な説明】
【００１３】
【図１】平面図
【図２】正面図
【図３】左側面図
【００１４】１  対頭部部材接合線
２  前方線
３  中心稜線（且縫い目）
４  左稜線（且縫い目）
５  右稜線（且縫い目）
６  左中面
７  右中面
８  左外面
９  右外面
【図１】
2020196988.tif 000003
【図２】
2020196988.tif 000004
【図３】
2020196988.tif 000005
(57)【要約】【課題】茶道をするときのにじる、ひざをくる、正座をするときに生じる足のしびれ、痛みを軽減し、かつ、足袋のシワを目立たなくさせ、足元を美しくみせる効果のある足袋とレモン型のクッションを提供する【解決手段】レモン型のクッションを足袋の内側の足首と甲の間にはりつける【選択図】図１
2020196982.tif 000002
【特許請求の範囲】
【請求項１】
レモン型のクッション（１）に、シール状のマジックテープのギザギザ面（２）を
2020196982.tif 000003
足袋の内側（３）に、シール状のマジックテープのソフト面を、足袋の内側（３）の上部にはりつける。
【請求項２】
レモン型のクッション（１）を、足袋の内側の上部（５）にとりつけたことにより（７）のように外側から見ても足袋のシワがのびてきれいな足元になる。
【請求項３】
レモン型のクッション（１）を足袋の内側の上部（５）にとりつけたことにより、（８）のように足首と甲の間にフィットして、畳の上や板の上を、にじる動作やひざを左右にくる動作や正座による足のしびれや痛みを軽減する。
【請求項４】
ぞうり（１０）をはいたとき、クッションがレモン型のため、ぞうりのひもによってクッションがうごかされたりズレることはない。
【発明の詳細な説明】
【技術分野】
【０００１】    本発明は、茶道をするときに、畳または板の上を、にじる、ひざをくるなどの動作を行ったり、正座をしたときに生ずる足のしびれ痛みを軽減させる。
足袋の内側にレモン型のクッションを入れることにより、足首と足の甲の間にかかる力を分散させる役割がある。かつ足にフィットして足袋のシワを目立たなくするという美的な効果がある。
レモン型のクッションのため足首の金具をしめるのにしめやすい。
また、ぞうりをはいたときに、ぞうりのヒモの部分がクッションあたらないためクッションがずれにくい。
【背景技術】
【０００２】    この種のクッションを入れて足のしびれや痛みを軽減するに係る足袋が公知である（特許文献１）。
そこでは、くるぶしにクッションをあてるとしているが、茶道の動作をするためには本発明の足首と甲の間にレモン型のクッションを足袋の内側からとりつけることがよいとした。
【先行技術文献】
【特許文献】
【０００３】
【特許文献１】特開２００８−２３１６０１号公報
【発明の概要】
【発明が解決しようとする課題】
【０００４】    上記クッションによれば、くるぶしあたりにクッションをつけるとしているが、茶道において、にじる、ひざをくる、正座をするという動作をスムーズに行い、かつ、足のしびれを軽減するためには、レモン型のクッションを足首と甲の間に、足袋の内側にはるのがよい。また上記クッションと違うところは足の中心の足首と甲の間にレモン型のクッションを入れることにより、足袋のシワをのばし、足元をきれいにみせる効果かある。
またシール状のマジックテープをとりつけることにより、余計な縫い目がないため足にソフトにあたり縫い目によるくいこみを防ぐ。
【課題を解決するための手段】
【０００５】    本発明に係るレモン型のクッションを足袋の内側の上部にはりつけることにより、足首と甲の間にフィットし、茶道のにじる、ひざをくる、正座をすることによる足のしびれ痛みを軽減し、かつ、レモン型のクッションによって足袋のシワをなくし足袋の美しさを出す効果がある。
【図面の簡単な説明】
【０００６】
【図１】本発明に係るレモン型のクッション内側の図
【図２】足袋の内側にシール状のマジックテープのソフト面をつけた図
【図３】足袋の内側にレモン型のクッションをはりつけた図
【図４】内側にレモン型のクッションをはりつけ外からみた図
【図５】レモン型のクッションが足にフィットしている図
【図６】レモン型のクッションがぞうりのひもにふれていない図
【発明を実施するための形態】
【０００７】    図１においては、レモン型のクッションにシール状のマジックテープのギザギザ面をはる。
図２においては、足袋の内側にシール状のマジックテープのソフト面をはりつける。
図３においては、レモン型のクッションを足袋の内側の上部にはりつける。
【符号の説明】
【０００８】１    レモン型のクッションの内側
２    マジックテープのギザギザ面
３    足袋の内側
４    マジックテープのソフト面
５    足袋の内側
６    レモン型のクッションの外側
７    足袋の内側、足首と甲の間にあるクッション
８    足首と甲の間に足にフィットしているレモン型のクッション
９    足首と甲の間に、足袋の内側に入っているクッション
１０  ぞうり
１１  甲
【図１】
2020196982.tif 000004
【図２】
2020196982.tif 000005
【図３】
2020196982.tif 000006
【図４】
2020196982.tif 000007
【図５】
2020196982.tif 000008
【図６】
2020196982.tif 000009
(57)【要約】【課題】  開いた本（４）に透明板（１）を被せ、クリップ（２）で右ページの上部を挟み、クリップ（３）で左ページの上部を挟むことで本（４）を開いた状態で維持させることができ、開いたページ全体を透明板（１）で覆うため文字を読むときでも妨げにならず、開いたページの汚れを保護し、開いたページに直接ラインやメモが書けない時でも開いたページを透明板（１）で覆うことで、透明板（１）にホワイトボード用マーカーでラインやメモを書くこができ、簡単に消すことができる文鎮を提供する。【解決手段】  透明板（１）の上部両端二か所に、本を開いたときの右ページの上部を挟むクリップ（２）及び左ページ上部を挟むクリップ（３）を設け本を開いたページを固定し、開いた本のページを透明板で覆うことで、本の開いたページの汚れを防いだり、開いた本のページを透明板で覆うことで、ホワイトボード用マーカーでラインやメモなどを透明板（１）に書き込むことができ、消すことも容易にできることを特徴とする。【選択図】図２
2020196245.tif 000002
【特許請求の範囲】
【請求項１】
本を開いたページを覆うための透明板（１）の上部両端二か所に本を開いたときのページの上部を挟むクリップ（２）及び（３）を設けたことを特徴とする本を開いたページを固定し保護する透明板文鎮。
【請求項２】
透明板（１）で本を開いたページを覆うため、カバーの役目を果たし、開いたページの汚れを防ぐことを特徴とする本を開いたページを固定し保護する透明板文鎮。
【請求項３】
透明板（１）で本を開いたページを覆うため、カバーの役目を果たし、ホワイトボード用マーカーでラインやメモなどを透明板（１）に書き込むことができ、消すことも容易にできることを特徴とする本を開いたページを固定し保護する透明板文鎮。
【発明の詳細な説明】
【技術分野】
【０００１】  この発明は、透明板の上部の両端二か所にクリップを設けた本を開いたページを固定し保護する透明板文鎮に関するものである。
【背景技術】
【０００２】  従来、本は手で押さえたり、持ったりするなどして開いた状態を維持しなくてはならなかった。しかし、本の内容をノートに書き写したり、料理や手芸、ＤＩＹなど本に手を添えないで開いた状態を保持したいときがある。薄く開きやすい本であれば手を使わずに開いた状態を維持されるが、厚みのある本や背表紙を固く綴じられた本は、開いたまま机上に置いただけでは閉じてしまったり、ページ数によっては紙が戻ろうとして所望のページを読むことができなくなる。
この面倒を解消する手段として、特許文献１のような紐に錘を連結した構造の文鎮や、特許文献２のような細長い透明板の長手方向の両端に錘を取り付けた構造の文鎮が提案されている。この方法だと本の大きさや厚みによって安定感がないことや、一部分を覆った透明板では本を開いたページ全体の汚れが防止できなかった。
【先行技術文献】
【特許文献】
【０００３】
【特許文献１】特開２０１４−２１０３９０号公報
【特許文献２】実開平０６−０４２２９３号広報
【発明の概要】
【発明が解決しようとする課題】
【０００４】  これは、つぎのような欠点があった。
（イ）特許文献１のような紐に錘を連結した構造の文鎮や、特許文献２のような細長い透明板の長手方向の両端に錘を取り付けた構造の文鎮が提案されている。しかし、本の大きさや厚みによって安定感がないことや、一部分を覆った透明板では本の開いたページの汚れが防止できなかった。本の所望ページを開く場所によっては左右のページ数の違いで背表紙が邪魔をし、ぐらついてしまい安定感がないのが悩みでした。特に小さくて厚みのある本の固定が困難でした。
（ロ）特許文献１及び２のように、部分的に押さえるだけでは、料理のレシピなどは料理中の油や粉などの調味料が飛び、開いたページが汚れてしまったり、ＤＩＹや手芸でも使用する材料や製作中に出たゴミによって開いたページが汚れるなど、本を痛める原因にもなっていた。
（ハ）参考書や辞典など一時的にラインやメモを書きたい時でも、直接書き込まなくてはならず、ペンなどで書き込んだ場合、消すことが困難だった。
本発明は、以上のような欠点をなくすためになされたものである。
【課題を解決するための手段】
【０００５】  透明板（１）の上部両端二か所に、本を開いたときの右ページの上部を挟むクリップ（２）及び左ページ上部を挟むクリップ（３）を設け本を開いたページを固定する。
開いた本のページを透明板で覆うことで、本の開いたページの汚れを防ぐ。
開いた本のページを透明板で覆うことで、ホワイトボード用マーカーでラインやメモなどを透明板（１）に書き込むことができ、消すことも容易にできる。
本発明は、以上の構成よりなる本を開いたページを固定し保護する透明板文鎮である。
【発明の効果】
【０００６】（イ）本を開いたページを覆うための透明板（１）の上部両端二か所に、本を開いたときの右ページの上部を挟むクリップ（２）及び左ページの上部を挟むクリップ（３）を設けることにより本の所望ページを開き固定する。クリップだけの固定だけでなく透明板の重みで、本の厚みや所望の開いたページ数に関係く、更に安定させることができ、開いた本（４）のページを固定することができる。
（ロ）本（４）を開いたページを透明板（１）が覆うため、料理やＤＩＹなどの際、開いたページが汚れるのを防ぐ。
（ハ）本（４）を開いたページを透明板（１）か覆うため、ホワイトボード用マーカーで文字を書いたり消したりできるので本（４）のページを汚さずにメモを書いたりラインを引くことが容易にできる。
【図面の簡単な説明】
【０００７】
【図１】  本発明の正面図である。
【図２】  本発明の使用状態を示す図である。
【発明を実施するための形態】
【０００８】  以下、本発明を実施するための形態について説明する。
この発明の本を開いたページを固定し保護する透明板文鎮は、本を開いたページを覆うための透明板（１）の上部両端二か所に、本を開いたときの右ページの上部を挟むクリップ（２）及び左ページの上部を挟むクリップ（３）を設けてあり、図１の透明板（１）は開いた本（４）のページが閉じにくいくらいの厚みと重みのある透明板を使用している。
本発明は、以上のような構造である。
本発明を使用するときは、図２のように本（４）の所望のページを開き、透明板（１）に設けられたクリップ（２）及び（３）の面を本を開いたページに被せる。
クリップ（２）で右ページの上部を挟み、クリップ（３）で左ページの上部を挟むことで開いた本（４）のページを固定する。
開いた本（４）のページ全体的を透明板（１）が保護するため、開いた本（４）のページの汚れを防止し、ホワイトボード用マーカーでラインやメモなどを透明板（１）に書き込むことができ、消すことも容易にできる。
【符号の説明】
【０００９】  １  透明板
２  クリップ
３  クリップ
４  本
【図１】
2020196245.tif 000003
【図２】
2020196245.tif 000004